(57)【要約】  本発明は炭素繊維糸を発熱線として用いる面相発熱体または遠赤外線フィルム板を利用した多機能性ヘア成形装置に関し、より詳しくは、ヘア成形のためのパーマ、ストレート軟化、染色、ヘアマニキュア、トリートメント、脱毛予防などのヘア成形施術の時に、面相発熱体または遠赤外線フィルム板での温熱及び遠赤外線を利用して、ロッド（ｒｏｄ）を低温で加温させ、冬季にはパーマ薬を暖かく暖めるなどの役割を果たすとともに、遠赤外線フィルム板で放射される遠赤外線を利用してヘアドライをする場合にも使用可能な面相発熱体または遠赤外線フィルム板を利用したドライ及び成形のためのヘア成形装置に関する。【選択図】図１
2015516843.tif 000002
【特許請求の範囲】
【請求項１】
ヘア成形の時用いられるヘア成形キャップにおいて、
前記ヘア成形キャップの頭が接触する最内側に位置し、難燃性纎維で構成される裏地部（１０）と、
前記裏地部の頭が接触しない側面に位置し、炭素繊維糸素材で、頭の上部と頭の下部を加熱するための面相発熱体（４０、４０`）または遠赤外線の放射が可能な遠赤外線フィルム板（５０、５０`）と、
前記面相発熱体（４０、４０`）または遠赤外線フィルム板（５０、５０`）を含む裏地部（１０）の外周面に位置し、木花纎維で構成されて、保温の役割を果たす保温部（２０）と、
前記保温部（２０）の外周面に防水が可能なポリエステル素材のヘア成形キャップの内皮（３０）と、
前記内皮（３０）の外周面を囲み、前記内皮と面ファスナーで付着される人造纎維素材で、頭の上部には支持台（９０）に掛けることができるように、ヘア成形キャップ掛け部（１１０）が形成されるヘア成形キャップの外皮（６０）と、を含むことを特徴とするドライとヘア成形可能なヘア成形キャップ。
【請求項２】
前記面相発熱体（４０、４０`）または遠赤外線フィルム板（５０、５０`）は、それぞれ上部と下部とに分離されて、上部面相発熱体（４０）及び下部面相発熱体（４０`）または上部遠赤外線フィルム板（５０）及び下部遠赤外線フィルム板（５０`）に分けられ、これらそれぞれは温度センサー（７７、７７`）と、温度過昇防止器（７８、７８`）とをさらに含むことを特徴とする請求項１に記載のドライとヘア成形が可能なヘア成形キャップ。
【請求項３】
前記ヘア成形キャップの内皮（３０）の下端部とチャック（３５）で着脱可能に連結され、被施術者の首部分を囲む首当て（３４）と、
前記首当てを首の周りに合わせて調節するための首周囲部分調節紐（３８`）と、
前記首周囲部分調節紐（３８`）の長さを調節するための首周囲部分調節ボタン（３９`）と、
前記首当て（３４）と連結されて、ヘア成形キャップの内皮（３０）のフェイスラインを囲むフェイスライン当て（３６）と、前記フェイスライン当てをフェイスラインに合わせて調節するためのフェイスライン調節紐（３８）と、
前記フェイスライン調節紐（３８）の長さを調節するためのフェイスライン調節ボタン（３９）と、をさらに含むことを特徴とする請求項１に記載のドライとヘア成形が可能なヘア成形キャップ。
【請求項４】
請求項１または３の中の何れか一項に記載のヘア成形キャップ（１００）と、
前記面相発熱体（４０、４０`）または遠赤外線フィルム板（５０、５０`）の温度を感知して、加熱時間を制御するための温度調節スィッチ（７４、７４`）及び時間調節装置（７６、７６`）を含む制御装置（７０）と、
前記ヘア成形キャップ掛け部（１１０）が掛かるヘア成形キャップ掛け用フック（９２）を含む支持台（９０）と、を含むことを特徴とするドライとヘア成形が可能なヘア成形装置。
【請求項５】
前記制御装置（７０）の温度調節スィッチ（７４、７４`）及び時間調節装置（７６、７６`）は前記ヘア成形キャップの上部と下部をそれぞれ分離して調節することができ、
前記面相発熱体（４０、４０`）または前記遠赤外線フィルム板（５０、５０`）を加熱する時に、電気が付くことによって、前記面相発熱体または遠赤外線フィルム板の作動可否を確認することができる左右側ネオン装置（７９、７９`）をさらに含むことを特徴とする請求項４に記載のドライとヘア成形が可能なヘア成形装置。
【請求項６】
ヘア成形キャップ外皮（６０）と、
ヘア成形キャップ内皮（３０）と、
前記ヘア成形キャップ内皮（３０）の内側に位置し、遠赤外線の放射が可能であり、上部と下部に形成される遠赤外線フィルム板（５０、５０`）と、
前記遠赤外線フィルム板（５０、５０`）の内側に位置し、ヘアドライヤーの風を通風させるための複数の貫通孔を有する耐熱性素材の通風内皮（３２）を含むヘア成形キャップと、
前記通風内皮（３２）の下端にヘアドライヤーの風が通過させることができるドライ出口通風口（８０）とを有する外面部（８９）と、
前記外面部（８９）の内部に円筒状に設置される遠赤外線フィルム板（５０``）と、
前記遠赤外線フィルム板の上端で左右側、上部及び下部に風が通るようにするための中央、左側、右側、中央上部風通路管（８２、８４、８６、８８）と、
制御装置（７０）と支持台（９０）と、をさらに含んでドライに利用することを特徴とするドライとヘア成形が可能なヘア成形装置。
【請求項７】
前記遠赤外線フィルム板（５０、５０`）には温度センサー（７７、７７`）と、温度過昇防止器（７８、７８`）とをさらに含むことを特徴とする請求項６に記載のドライとヘア成形が可能なヘア成形装置。
【発明の詳細な説明】
【技術分野】
【０００１】
本発明は炭素繊維糸を発熱線として用いる面相発熱体または遠赤外線フィルム板を利用した多機能性ヘア成形装置に関し、より詳しくは、ヘア成形のためのパーマ、ストレート軟化、染色、ヘアマニキュア、トリートメント、脱毛予防などのヘア成形施術の時に、面相発熱体または遠赤外線フィルム板での温熱及び遠赤外線を利用して、ロッド（ｒｏｄ）を低温で加温させ、冬季にはパーマ薬を暖かく暖めるなどの役割を果たすとともに、遠赤外線フィルム板で放射される遠赤外線を利用してヘアドライをする場合にも使用可能な面相発熱体または遠赤外線フィルム板を利用したドライ及び成形のためのヘア成形装置に関する。
【背景技術】
【０００２】
一般に、パーマ帽子の発熱体は、パーマなどの施術時のみに使用可能であり、ニッケルクロム合金線の発熱を利用して発熱をしているが、これは電磁波を発散し、金属の特有の柔軟性が低下されて、腐食とともに断線になって寿命が短い。
【０００３】
また、ニクロム等の発熱線を利用した美容帽子の発熱体は、発熱線がその部分だけが加熱される構造を有し、また韓国出願番号第２０−２００１−０００７９８０号はカーボン発熱半導体纎維の発熱を利用したパーマ帽子や、カーボン発熱半導体の纎維がただ線構造からなるもので、その線構造に纎維の引張強度を向上させるためにゴム、シリコーンなどの素材で被覆することができるが、これも線構造で構成されているため、美容帽子の温度分布が均一でなく、パーマ施術の時パーマの形態が均一に出なくなり、また染色施術の時、毛髪全体が均一に染色されなくて、むらが発生するという問題点があった。
【０００４】
大韓民国登録実用新案第２０−０２９５９６７号に開示された「面相発熱体が具備された帽子」は裏地と表地との間にセラミックス炭素纎維紙の面相発熱体等のような発熱装置が具備され、この発熱装置に電源を供給し、この発熱装置で発生される熱の温度を調節するための電源供給部及び温度調節装置が具備される。
【０００５】
また、大韓民国特許出願番号１０−２００５−００５４２４６号に開示された発明は、毛髪を染色、パーマ、栄養クリニックなどをする途中に、毛髪の処理を促進するために熱を加えると同時に、毛髪と頭皮の保護のために、遠赤外線及びマイナスイオンを放出して、毛髪と頭皮などの健康を促進することができるようにする帽子である。
【０００６】
しかし、上記技術は、何れもその熱伝逹方式が毛髪のトップ部分、ネープ部分、サイド部分を１つの作動で行われるため、トップ部分、ネープ及びサイド部分の温度差を区別することはヘア成形の時には容易でなく、また上記２つの製品はヘア成形施術のみのためのものであり、その後、美容師の手間がかかることなく、専門的で、特性化されたヘアドライ成形施術まではつながらない。
【０００７】
また、既存の美容室では被施術者のパーマ施術の時、被施術者のパーマを速やかに施術するために、低温（４５℃−５０℃）で施術用ロッド（ｒｏｄ）を別途の熱器具で加温して用い、パーマ、染色、トリートメント、脱毛予防などの施術後にはシャンプをして、美容師が別途にヘアドライヤーで髪を乾燥する過程が必要であった。
【０００８】
美容師がヘアドライヤーで被施術者の髪を乾燥する時間がたくさんかかり、ヘアドライヤーも重くて、美容師の労動時間がたくさんかかり、腕と手首に無理を与えるとともに、疲労感が増大される原因となった。
【０００９】
従来のヘア成形キャップなどはヘア成形施術を目的とするもので、これをドライに用いる場合、毛髪とヘア成形キャップとの間に空間が形成されなくて、毛髪に密着されてかぶせられて、ヘアドライヤーの温風が円滑に循環されなかったり、施術途中に被施術者が苦しくなり、施術後、毛髪のボリュームが抑えられるなどの問題点があった。
【発明の開示】
【発明が解決しようとする課題】
【００１０】
本発明は上記問題点を解決するために考案されたもので、既存のニッケルクロム線の構造を改善して、炭素繊維糸で遠赤外線の放射が可能な面相発熱体または遠赤外線の放射が可能な遠赤外線フィルム板を利用して、各種ヘア成形及びドライを同時に行うことができるヘア成形装置を提供することを目的とする。
【課題を解決するための手段】
【００１１】
上記目的を達するための本発明は、ヘア成形の時用いられるヘア成形キャップにおいて、上記ヘア成形キャップの最内側に位置し、難燃性纎維で構成される裏地部１０と；上記裏地部の内部に位置し、炭素繊維糸素材で、頭の上部と下部を加熱するための面相発熱体４０、４０`または遠赤外線の放射が可能な遠赤外線フィルム板５０、５０`と；上記裏地部１０の外周面に位置し、木花纎維で構成されて、保温の役割を果たす保温部２０と；上記保温部２０の外周面で、防水が可能なポリエステル素材のヘア成形キャップの内皮３０と；上記内皮３０の外周面を囲み、上記内皮と面ファスナーで付着される人造纎維素材で、頭の上部には支持台９０にかけることができるようにヘア成形キャップ掛け部１１０が形成されるヘア成形キャップの外皮６０と；を含むヘア成形キャップを提供する。
【００１２】
また、好ましくは、上記面相発熱体４０、４０`または遠赤外線フィルム板５０、５０`は、それぞれ上部と下部とに分離されて、上部面相発熱体４０及び下部面相発熱体４０`または上部遠赤外線フィルム板５０及び下部遠赤外線フィルム板５０`に分けられ、これらのそれぞれは温度センサー７７、７７`と、温度過昇防止器７８、７８`とをさらに含むことを特徴とする。
【００１３】
また、好ましくは、上記ヘア成形キャップの内皮３０の下端部に着脱可能に連結されて、被施術者の首部分を囲む首当て３４と；上記首当てを首の周りに合わせて調節するための首周囲部分調節紐３８`と；上記首周囲部分調節紐３８`の長さを調節するための首周囲部分調節ボタン３９`と；上記首当て３４と連結されて、ヘア成形キャップの内皮３０のフェイスラインを囲むフェイスライン当て３６と；上記フェイスライン当てをフェイスラインに合わせて調節するためのフェイスライン調節紐３８と；上記フェイスライン調節紐３８の長さを調節するためのフェイスライン調節ボタン３９と；をさらに含むことができる。
【００１４】
また、本発明の好ましい一実施例によるヘア成形装置は、上記ヘア成形キャップ１００と；上記面相発熱体４０、４０`または遠赤外線フィルム板５０、５０`の温度を感知し、加熱時間を制御するための温度調節スィッチ７４、７４`と時間調節装置７６、７６`とを含む制御装置７０と；上記ヘア成形キャップ掛け部１１０が掛けられるヘア成形キャップ掛け用フック９２を含む支持台９０と；を含むことを特徴とする。
【００１５】
また、好ましくは、上記制御装置７０は、上記制御装置７０の温度調節スィッチ７４、７４`及び時間調節装置７６、７６`が上記ヘア成形キャップの上部と下部をそれぞれ分離して調節することができ、上記面相発熱体４０，４０`または上記遠赤外線フィルム板５０、５０`を加熱する時に電気が付くことによって、上記面相発熱体または遠赤外線フィルム板の作動可否を確認することができるネオン装置７９、７９`がさらに含まれることを特徴とする。
【００１６】
また、本発明の好ましい一実施例によるドライ用ヘア成形キャップは、ヘア成形キャップ外皮６０と；ヘア成形キャップ内皮３０と；上記ヘア成形キャップ内皮３０の内側に位置し、遠赤外線の放射が可能であり、上部と下部に形成される遠赤外線フィルム板５０、５０`と；上記遠赤外線フィルム板５０、５０`の内側に位置し、ヘアドライヤーの風を通風させるための複数の貫通孔を有する耐熱性素材の通風内皮３２を有するヘア成形キャップと；上記通風内皮３２の下端にヘアドライヤーの風を通過させることができるドライ出口通風口８０を有する外面部８９と；上記外面部８９の内部に円筒状に設置される遠赤外線フィルム板５０``と；上記遠赤外線フィルム板の上端で左右側、上部及び下部に風が通るようにするための中央、左側、右側、中央上部の風通路管８２、８４、８６、８８と；制御装置７０と支持台９０と；を含むことができる。
【００１７】
また、上記遠赤外線フィルム板５０、５０`には温度センサー７７、７７`と、温度過昇防止器７８、７８`とがさらに含むことができる。
【発明の効果】
【００１８】
以上のように、本発明によれば、既存のニッケルクロム線構造を改善して、上記問題点を全部解消し、これを毛髪のヘア成形に適用することによって、毛髪のヘア成形效果を極大化しながらも、ヘア成形を軽い熱保温材質にして、厚さを最小化し、汎用的な纎維補強面相電気伝導体を利用した発熱ヘア成形キャップを利用したヘア成形装置を提供する。
【００１９】
また、面相発熱体材質の特性上、遠赤外線の放射が可能で、既存の発熱によるパーマ帽子機能の外に、ヘルシートレンドに符合したヘア成形美容に有用な纎維補強面相電気伝導体を利用した面相発熱ヘア成形キャップを含むヘア成形装置を提供する。
【００２０】
また、各種の毛髪による各種ヘア成形の時、ヘア成形キャップの区別された温度保温による施術效果を有し、上部面相発熱体と下部面相発熱体とで構成された本発明のヘア成形キャップは、パーマ、ストレート、染色、ヘアマニキュア、トリートメント、脱毛予防などの施術の時、頭皮の温度が高い中央である頭頂部分と相対的に頭皮の温度が低い後ろ、サイド部分の温度を細分化して、ヘア成形施術ができる。
【００２１】
また、既存のヘアドライヤーをそのまま利用することができて、これによる労動力を節減することができ、美容師が直接ドライ作業をしないので、美容師の過多な体力消耗による疲労感を減らすことができる。
【００２２】
本発明のヘアドライ成形装置は、ヘアドライヤーから出る温風の熱が美容師の手間がかかることなく、一度に毛髪全体に均一に分布されるので、施術の效果及び経済的效果があり、ヘア成形施術の後に、遠赤外線の放射が可能で、抗菌、脱臭をするヘアドライ成形キャップでヘアドライをして、初めのヘア成形施術から最後のヘアドライ成形施術まで、より特性化され、専門化されたヘア成形装置を提供することができる。
【図面の簡単な説明】
【００２３】
【図１】ヘア成形装置の使用状態を示す図面である。
【図２】本発明のヘア成形キャップ１００の斜視図である。
【図３】ヘア成形キャップ１００とネオン装置７９、７９`とを具備した制御装置７０が連結された状態を示す図である。
【図４】本発明のヘア成形キャップの分解斜視図である。
【図５】本発明のヘア成形キャップの断面図である。
【図６】ドライ成形時のヘア成形キャップの分解斜視図である。
【図７】ドライ成形時のヘア成形キャップの断面図である。
【発明を実施するための形態】
【００２４】
以下、添付される図面を通じて、本発明の各種実施例を詳しく説明すれば次の通りである。
【００２５】
図１は本発明のヘア成形装置を示す図面で、面相発熱体を含むヘア成形キャップ１００を利用して、ヘアを施術する状態を示す図面である。本発明はヘア成形キャップ１００のヘア成形キャップ掛け部１１０が支持台９０のヘア成形キャップ掛け用フック９２に掛かって用いられ、上記ヘア成形キャップ１００の内部には面相発熱体または遠赤外線フィルム板が具備されて、制御装置７０によって加熱時間と加熱温度が調節されることを特徴とする。
【００２６】
図２はヘア成形キャップ１００の斜視図で、本発明のドライとヘア成形が可能なヘア成形キャップは、通常のヘア成形キャップ１００の模様で、ヘア成形キャップを掛けることができるヘア成形キャップ掛け部１１０が頭頂部分に位置し、顔部分には顔の大きさに合わせて調節することができるように、フェイスライン当て３６が形成され、首部分にも首の厚さによって調節することができるように、首当て３４が形成される。上記フェイスライン当て３６と首当て３４はチャックなどで連結されて、着脱可能に形成されることが好ましい。
【００２７】
また、上記フェイスライン当て３６には顔の大きさに合わせて調節することができるようにフェイスライン調節紐３８とフェイスライン調節ボタン３９及び首周囲部分を首の太さに合わせて調節することができる首周囲部分調節紐３８`と首周囲部分調節ボタン３９`が形成される。
【００２８】
図３はヘア成形キャップ１００と制御装置７０が連結される状態を示す図面である。上記面相発熱体４０、４０`は制御装置７０に連結されて、温度調節及び加熱時間調節が可能であり、上記制御装置７０は頭の上部と下部の温度及び加熱時間をそれぞれ調節して表示することができるように、それぞれ上部及び下部のタイマー表示板７２、７２`、温度調節装置７４、７４`、オンオプ調節スィッチ７５、７５`、時間調節装置７６、７６`、ネオン装置７９、７９`及びメインスィッチ７３が設置されることができる。
【００２９】
上記制御装置７０のネオン装置７９、７９`は上記制御装置の上部の左右に設置され、上記面相発熱体４０、４０`または上記遠赤外線フィルム板５０、５０`の加熱時にそれぞれの上部ネオン装置７９及び下部ネオン装置７９`に電気が付くことによって、上記面相発熱体または遠赤外線フィルム板の上部及び下部の作動可否を確認することができるようにすることが好ましい。
【００３０】
図４は面相発熱体を含むヘア成形キャップの分解斜視図を示す図面で、右側上端から外皮６０、内皮３０、保温部２０、裏地部１０、温度センサー７７、７７`及び温度過昇防止器７８、７８`を含む面相発熱体４０、４０`を示した。
【００３１】
上記外皮は内皮と面ファスナーなどで互いに着脱可能に設置され、上記面相発熱体が頭の上部４０と下部４０`にそれぞれ形成されることが好ましい。ドライ成形の時には、上記面相発熱体の代わりに、遠赤外線フィルム板５０、５０`が設置されることができ、これに対しては後述する。
【００３２】
上記面相発熱体４０、４０`に具備される温度センサー７７、７７`と温度過昇防止器７８、７８`は、上部７７、７８と下部７７`、７８にそれぞれ設置されることが好ましく、これらは温度を感知し、所定温度以上になると、これ以上加熱されないようにし、それによって頭皮がやけどを負わないようにする役割を果たす。
【００３３】
図５は本発明のヘア成形キャップの断面図を示す図面で、上記ヘア成形キャップの最内部には難燃性纎維で構成される裏地部１０が位置し、上記裏地部１０の外周面には木花纎維で構成されて、保温の役割を果たす保温部２０が形成され、上記保温部２０の周りに、防水可能なポリエステル素材のヘア成形キャップの内皮３０が形成される。
【００３４】
上記裏地部１０の内部には炭素繊維糸素材の面相発熱体４０、４０`が位置し、上記面相発熱体４０、４０`は上述したように、上部面相発熱体４０と下部面相発熱体４０`とに分離して設置されることが好ましい。
【００３５】
上記内皮３０の外周面に人造纎維素材のヘア成形キャップの外皮６０が上記内皮と面ファスナーで着脱可能に付着されることができる。
【００３６】
上記面相発熱体４０、４０`は制御装置７０と電線で連結され、温度調節、時間調節などを行うことができる。
【００３７】
このように、面相発熱体を含む面相発熱体はパーマ、ストレートなどの各種ヘア成形施術の時に、温度と時間を調節しながら、多様に用いられることができる。
【００３８】
また、好ましい一実施例によれば、上記ヘア成形キャップは、ドライ成形の時に特化されて用いられることができる。図６によれば、ドライ成形時に用いられるヘア成形キャップは、ヘア成形キャップの外周面から順に、外皮６０、内皮３０、遠赤外線フィルム板５０、５０`及び通風内皮３２で構成され、上記通風内皮３２は複数の貫通孔３３を有する構造で形成され（図７を参照）、上記通風内皮３２の下端にヘアドライヤーの風が通ることができるドライ出口通風口８０と；上記遠赤外線フィルム板の下端左右側、上部及び下部に風が通るようにするための中央、左側、右側、中央上部風通路管８２、８４、８６、８８とがさらに形成される。このようにすることで、ヘアドライヤーからの風が頭に均一に伝達されることができる。また、好ましくは、上記ドライ出口通風口８０の内部に、遠赤外線フィルム板５０``が円筒状に設置されることができる。
【００３９】
また、上記遠赤外線フィルム板５０、５０`には前述したように、温度センサー７７、７７`と、温度過昇防止器７８、７８`とがさらに設置されることができ、これらは制御板７０で調節され、支持台９０に上記ヘア成形キャップを掛けて用いることができる。
【００４０】
以下では、本発明のヘア成形キャップを利用して、ヘアを成形する方法を説明する。
【００４１】
通常、美容室などで健康な毛髪や、久しぶりにパーマをしたり、ヘンナなどで染色した毛髪の場合、パーマの成形施術の時、パーマのカールがよく出ない。
【００４２】
このような場合、パーマ施術前にパーマ施術のためのロッド（ｒｏｄ）またはパーマ薬をヘア成形キャップ１００の中に入れて、ヘア成形キャップ１００のフェイスライン調節ボタン３９と首周囲部分調節ボタン３９`を調節して、外部から空気の吸入を阻むためにヘア成形キャップ１００を密閉させ、時間調節装置７６、７６`を頭の上部は１５分または頭の下部は２０分に設定し、上部温度調節装置７４、７４`をそれぞれ７０℃に設定して、作動させる。
【００４３】
上記過程の後に、ヘア成形キャップ１００の中にあるロッド（ｒｏｄ）が暖められると、ヘア成形キャップ１００のフェイスライン調節ボタン３９を利用して、パーマ薬と暖められたロッドを一つずつ取り出しながら、被施術者にヘアパーマ成形施術をした後、上記過程から既に温度が加熱されたヘア成形キャップ１００を被施術者の毛髪に直接に被せることによって、ヘア成形キャップ１００からの保温熱をより速やかに伝達することができ、被施術者の毛髪状況と各種ヘア成形の応用施術に合わせてヘア成形装置を利用することができる。
【００４４】
また、多様なヘア成形施術後にはドライする過程が必須であるが、ヘアドライヤーで髪を成形する場合にも、ドライ出口通風口８０を有する通風内皮３２と遠赤外線フィルム板５０、５０`を有するヘア成形キャップ１００とを利用して、ロッドなどを利用して髪をセッティングした後、従来のヘアドライヤーを挿入して、そのまま利用することによって、ドライの時に、美容施術者の努力を大幅に節減することができ、遠赤外線を利用することで、脱臭、殺菌、抗菌效果も果たす。
【００４５】
以上で、提示された実施例は例示的なもので、この分野において通常の知識を有する者であれば本発明の技術的思想を逸脱しない範囲で提示された実施例に対する多様な変形及び修正することができる。このような変形及び修正によって本発明の範囲は制限されない。
【産業上の利用可能性】
【００４６】
本発明は美容産業に有用に利用することができる。
【図１】
2015516843.tif 000003
【図２】
2015516843.tif 000004
【図３】
2015516843.tif 000005
【図４】
2015516843.tif 000006
【図５】
2015516843.tif 000007
【図６】
2015516843.tif 000008
【図７】
2015516843.tif 000009
【国際調査報告】
2015516843.tif 000010
2015516843.tif 000011
2015516843.tif 000012
2015516843.tif 000013